(57)【要約】【課題】周囲全体に十分な明るさを得ることができるＬＥＤランプを提供する。【解決手段】本発明によって提供されるＬＥＤランプＡは、ＬＥＤチップ２１をそれぞれ有する複数のＬＥＤモジュール２と、支持面１ａに複数のＬＥＤモジュール２が搭載された支持部材１とを備え、複数のＬＥＤモジュール２は、出射方向についての光度分布である指向特性が互いに異なる複数種類の第１ないし第３ＬＥＤモジュール２Ａ，２Ｂ，２ＣＬＥＤモジュールによって構成されている。【選択図】図１８
2010198919.tif 000002
【特許請求の範囲】
【請求項１】
ＬＥＤチップをそれぞれ有する複数のＬＥＤモジュールと、
支持面に上記複数のＬＥＤモジュールが搭載された支持部材と、
を備えたＬＥＤランプであって、
上記複数のＬＥＤモジュールは、出射方向についての光度分布である指向特性が互いに異なる複数種類のＬＥＤモジュールによって構成されていることを特徴とする、ＬＥＤランプ。
【請求項２】
上記複数のＬＥＤモジュールは、上記支持面の中央寄りに位置し、かつそれ以外の上記ＬＥＤモジュールよりも、上記支持面の法線方向に光度分布が偏った指向特性を有する第１ＬＥＤモジュールを含む、請求項１に記載のＬＥＤランプ。
【請求項３】
上記第１ＬＥＤモジュールは、上記ＬＥＤチップを囲み、かつ上記法線方向に開口するリフレクタを備える、請求項２に記載のＬＥＤランプ。
【請求項４】
上記複数のＬＥＤモジュールは、上記支持面の端部寄りに位置し、かつそれ以外の上記ＬＥＤモジュールよりも、上記支持面の面内方向外方に光度分布が偏った指向特性を有する第２ＬＥＤモジュールを含む、請求項１ないし３のいずれかに記載のＬＥＤランプ。
【請求項５】
上記第２ＬＥＤモジュールは、上記ＬＥＤチップを囲み、かつ上記面内方向外方に開口するリフレクタを備える、請求項４に記載のＬＥＤランプ。
【請求項６】
上記複数のＬＥＤモジュールは、上記支持面の端部寄りに位置し、かつそれ以外の上記ＬＥＤモジュールよりも、上記支持面の面内方向外方に光度分布が偏った指向特性を有する第２ＬＥＤモジュールと、上記第１および第２ＬＥＤモジュールの間に位置し、かつ上記第１および第２ＬＥＤモジュールよりも出射方向についての光度分布が均一である指向特性を有する第３ＬＥＤモジュールとをさらに含む、請求項２に記載のＬＥＤランプ。
【請求項７】
上記支持面は、帯状であり、
複数の上記第１ＬＥＤモジュールが、上記支持面の中心寄りに長手方向に沿って配列されており、
複数の上記第２ＬＥＤモジュールが、上記支持面の幅方向両端に沿って配列されており、
複数の上記第３ＬＥＤモジュールが、上記複数の第１および第２ＬＥＤモジュールに挟まれた領域に長手方向に沿って配列されている、請求項６に記載のＬＥＤランプ。
【発明の詳細な説明】
【技術分野】
【０００１】
本発明は、発光ダイオード（以下、ＬＥＤ）を光源として用いるＬＥＤランプに関する。
【背景技術】
【０００２】
図６３は、ＬＥＤが光源として用いられる、従来のＬＥＤランプの一例（たとえば特許文献１参照）を示している。同図に示されたＬＥＤランプＸは、板状の基板９１と、基板９１上に搭載された複数のＬＥＤ９２と、基板９１に取り付けられた放熱部材９５と、基板９１を収容するケース９３と、端子９４とを備えている。基板９１上には、複数のＬＥＤ９２および端子９４に接続される図示しない配線パターンが形成されている。このＬＥＤランプＸは、端子９４を一般用蛍光灯照明器具のソケットの差込口に嵌合させることにより、複数のＬＥＤ９２を発光させることができるように構成されている。
【０００３】
なお、一般用蛍光灯照明器具とは、主に屋内の一般照明に広く用いられる照明器具であり、たとえば日本国内においては、商用電源（たとえば交流１００Ｖ）を用い、ＪＩＳ  Ｃ７６１７に定められた直管形蛍光灯またはＪＩＳ  Ｃ７６１８に定められた環形蛍光灯が取り付けられる照明器具をいう（以下、「一般用蛍光灯照明器具」を単に「照明器具」という。）。
【０００４】
上記ＬＥＤランプＸでは、屋内の天井などに設置された照明器具に取り付けられると、ＬＥＤ９２の主出射方向が下方を向く。ＬＥＤランプＸでは、ＬＥＤ９２が点灯されると、ＬＥＤ９２からの光は主としてＬＥＤ９２の主出射方向を向いて出射される。したがって、ＬＥＤランプＸの周囲、特に側方付近においては、十分な明るさが得られないことがある。
【０００５】
これに対し、一般用蛍光灯は、ほぼケースの表面全体から光が外部に放出されるため、照明器具の周囲は一様な分布で十分な明るさを得ることができる。このように、上記ＬＥＤランプＸでは、一般用蛍光灯が点灯されたときと比較して、特に側方付近において十分な明るさが得られ難いといった問題点があった。
【先行技術文献】
【特許文献】
【０００６】
【特許文献１】実開平６−５４１０３号公報
【発明の概要】
【発明が解決しようとする課題】
【０００７】
本発明は、上記した事情のもとで考え出されたものであって、周囲全体に十分な明るさを得ることができるＬＥＤランプを提供することをその課題とする。
【課題を解決するための手段】
【０００８】
本発明によって提供されるＬＥＤランプは、ＬＥＤチップをそれぞれ有する複数のＬＥＤモジュールと、支持面に上記複数のＬＥＤモジュールが搭載された支持部材と、を備えたＬＥＤランプであって、上記複数のＬＥＤモジュールは、出射方向についての光度分布である指向特性が互いに異なる複数種類のＬＥＤモジュールによって構成されていることを特徴としている。
【０００９】
このような構成によれば、支持部材に搭載された複数のＬＥＤモジュールは、出射方向についての光度分布である指向特性が互いに異なる複数種類のＬＥＤモジュールによって構成されているので、複数種類のＬＥＤモジュールの指向特性や各ＬＥＤモジュールの支持基板における配置位置を適切に設定すれば、ＬＥＤランプの周囲全体において十分な明るさが得られるＬＥＤランプを提供することができる。
【００１０】
本発明の好ましい実施の形態においては、上記複数のＬＥＤモジュールは、上記支持面の中央寄りに位置し、かつそれ以外の上記ＬＥＤモジュールよりも、上記支持面の法線方向に光度分布が偏った指向特性を有する第１ＬＥＤモジュールを含むので、支持面の法線方向において十分な明るさを得ることができる。
【００１１】
本発明の好ましい実施の形態においては、上記第１ＬＥＤモジュールは、上記ＬＥＤチップを囲み、かつ上記法線方向に開口するリフレクタを備えるので、十分な明るさを得る上でより好適である。
【００１２】
本発明の好ましい実施の形態においては、上記複数のＬＥＤモジュールは、上記支持面の端部寄りに位置し、かつそれ以外の上記ＬＥＤモジュールよりも、上記支持面の面内方向外方に光度分布が偏った指向特性を有する第２ＬＥＤモジュールを含むので、支持面の面内方向外方において十分な明るさを得ることができる。
【００１３】
本発明の好ましい実施の形態においては、上記第２ＬＥＤモジュールは、上記ＬＥＤチップを囲み、かつ上記面内方向外方に開口するリフレクタを備えるので、十分な明るさを得る上でより好適である。
【００１４】
本発明の好ましい実施の形態においては、上記複数のＬＥＤモジュールは、上記支持面の端部寄りに位置し、かつそれ以外の上記ＬＥＤモジュールよりも、上記支持面の面内方向外方に光度分布が偏った指向特性を有する第２ＬＥＤモジュールと、上記第１および第２ＬＥＤモジュールの間に位置し、かつ上記第１および第２ＬＥＤモジュールよりも出射方向についての光度分布が均一である指向特性を有する第３ＬＥＤモジュールとをさらに含む。この構成によれば、第３ＬＥＤモジュールからの光によって支持面の法線方向と支持面の面内方向外方との間の領域において十分な明るさを得ることができる。
【００１５】
本発明の好ましい実施の形態においては、上記支持面は、帯状であり、複数の上記第１ＬＥＤモジュールが、上記支持面の中心寄りに長手方向に沿って配列されており、複数の上記第２ＬＥＤモジュールが、上記支持面の幅方向両端に沿って配列されており、複数の上記第３ＬＥＤモジュールが、上記複数の第１および第２ＬＥＤモジュールに挟まれた領域に長手方向に沿って配列されている。このような構成によれば、支持部材およびＬＥＤモジュールを適当なケースに収納することにより、ＬＥＤランプを直管型や環型などの一般用蛍光灯の代替として用いることができる。
【００１６】
本発明のその他の特徴および利点は、添付図面を参照して以下に行う詳細な説明によって、より明らかとなろう。
【図面の簡単な説明】
【００１７】
【図１】本発明の実施形態にかかるＬＥＤランプを示す斜視図である。
【図２】図１のＩＩ−ＩＩ線に沿う要部断面図である。
【図３】第１ＬＥＤモジュールを示す上面図である。
【図４】図３のＩＶ−ＩＶ線に沿う要部断面図である。
【図５】第１ＬＥＤモジュールを示す下面図である。
【図６】第１ＬＥＤモジュールの指向特性を示す図である。
【図７】第２ＬＥＤモジュールを示す側面図である。
【図８】図７のＶＩＩＩ−ＶＩＩＩ線に沿う要部断面図である。
【図９】第２ＬＥＤモジュールが支持基板に実装された状態を示す図である。
【図１０】第２ＬＥＤモジュールの指向特性を示す図である。
【図１１】第２ＬＥＤモジュールの変形例を示す側面図である。
【図１２】図１１のＸＩＩ−ＸＩＩ線に沿う要部断面図である。
【図１３】変形例の第２ＬＥＤモジュールの指向特性を示す図である。
【図１４】第３ＬＥＤモジュールを示す上面図である。
【図１５】図１４のＸＶ−ＸＶ線に沿う要部断面図である。
【図１６】第３ＬＥＤモジュールを示す下面図である。
【図１７】第３ＬＥＤモジュールの指向特性を示す図である。
【図１８】ＬＥＤランプの作用を説明するための図である。
【図１９】ＬＥＤランプの変形例を示す図である。
【図２０】第１ＬＥＤモジュールの変形例を示す概略外形図である。
【図２１】図２０に示す第１ＬＥＤモジュールの指向特性を示す図である。
【図２２】第１ＬＥＤモジュールの変形例を示す概略外形図である。
【図２３】図２２に示す第１ＬＥＤモジュールの指向特性を示す図である。
【図２４】第１ＬＥＤモジュールの変形例を示す概略外形図である。
【図２５】図２４に示す第１ＬＥＤモジュールであって赤および緑を発光するタイプの指向特性を示す図である。
【図２６】図２４に示す第１ＬＥＤモジュールであって青および赤を発光するタイプの指向特性を示す図である。
【図２７】第１ＬＥＤモジュールの変形例を示す概略外形図である。
【図２８】図２７に示す第１ＬＥＤモジュールの指向特性を示す図である。
【図２９】第１ＬＥＤモジュールの変形例を示す概略外形図である。
【図３０】図２９に示す第１ＬＥＤモジュールの指向特性を示す図である。
【図３１】第１ＬＥＤモジュールの変形例を示す概略外形図である。
【図３２】図３１に示す第１ＬＥＤモジュールの指向特性を示す図である。
【図３３】第２ＬＥＤモジュールの変形例を示す概略外形図である。
【図３４】図３３に示す第２ＬＥＤモジュールの指向特性を示す図である。
【図３５】第２ＬＥＤモジュールの変形例を示す概略外形図である。
【図３６】図３５に示す第２ＬＥＤモジュールの指向特性を示す図である。
【図３７】第２ＬＥＤモジュールの変形例を示す概略外形図である。
【図３８】図３７に示す第２ＬＥＤモジュールの指向特性を示す図である。
【図３９】第２ＬＥＤモジュールの変形例を示す概略外形図である。
【図４０】図３９に示す第２ＬＥＤモジュールの指向特性を示す図である。
【図４１】第２ＬＥＤモジュールの変形例を示す概略外形図である。
【図４２】図４１に示す第２ＬＥＤモジュールの指向特性を示す図である。
【図４３】第３ＬＥＤモジュールの変形例を示す概略外形図である。
【図４４】図４３に示す第３ＬＥＤモジュールの指向特性を示す図である。
【図４５】第３ＬＥＤモジュールの変形例を示す概略外形図である。
【図４６】図４５に示す第３ＬＥＤモジュールの指向特性を示す図である。
【図４７】第３ＬＥＤモジュールの変形例を示す概略外形図である。
【図４８】図４７に示す第３ＬＥＤモジュールの指向特性を示す図である。
【図４９】第３ＬＥＤモジュールの変形例を示す概略外形図である。
【図５０】図４９に示す第３ＬＥＤモジュールの指向特性を示す図である。
【図５１】第３ＬＥＤモジュールの変形例を示す概略外形図である。
【図５２】図５１に示す第３ＬＥＤモジュールの指向特性を示す図である。
【図５３】第３ＬＥＤモジュールの変形例を示す概略外形図である。
【図５４】図５３に示す第３ＬＥＤモジュールの指向特性を示す図である。
【図５５】第３ＬＥＤモジュールの変形例を示す概略外形図である。
【図５６】図５５に示す第３ＬＥＤモジュールの指向特性を示す図である。
【図５７】第３ＬＥＤモジュールの変形例を示す概略外形図である。
【図５８】図５７に示す第３ＬＥＤモジュールの指向特性を示す図である。
【図５９】ＬＥＤモジュールの変形例を示す側面図である。
【図６０】図５９に示すＬＥＤモジュールの指向特性を示す図である。
【図６１】ＬＥＤモジュールの変形例を示す側面図である。
【図６２】図６１に示すＬＥＤモジュールの指向特性を示す図である。
【図６３】従来のＬＥＤランプの一例を示す断面図である。
【発明を実施するための形態】
【００１８】
以下、本発明の好ましい実施の形態につき、図面を参照して具体的に説明する。
【００１９】
図１および図２は、本発明の実施形態にかかるＬＥＤランプの一例を示す図である。図１は、ＬＥＤランプの要部斜視図であり、図２は、図１におけるＩＩ−ＩＩ線に沿う要部断面図である。
【００２０】
このＬＥＤランプＡは、支持基板１、複数のＬＥＤモジュール２、放熱部材３、ケース４、および一対の口金５を備えている。このＬＥＤランプＡは、たとえば直管形蛍光ランプの代替として、一般用蛍光灯照明器具に取り付けられて用いられるものである。一般用蛍光灯照明器具がたとえば屋内の天井などに設置されている場合には、ＬＥＤランプＡは、通常、ＬＥＤモジュール２の光の主出射方向が下方を向くように取り付けられる。
【００２１】
支持基板１は、複数のＬＥＤモジュール２を実装することにより、複数のＬＥＤモジュール２を支持するものである。支持基板１は、たとえばガラスエポキシ樹脂からなり、所定方向に延びた細長の板状に形成されている。支持基板１の実装面１ａには、複数のＬＥＤモジュール２に電力を供給するためのたとえばＣｕからなる図示しない配線パターンが形成されている。
【００２２】
ＬＥＤモジュール２は、図１に示すように、支持基板１の実装面１ａ上に縦横に並ぶように複数個配置されている。なお、図１に示す、支持基板１の実装面１ａ上におけるＬＥＤモジュール２の配列や個数などは一例であり、これに限定されるものではない。本実施形態では、ＬＥＤモジュール２は、後述するＬＥＤチップ２１から発せられる光の出射方向についての光度分布における指向特性が互いに異なる複数種類の第１ないし第３ＬＥＤモジュール２Ａ，２Ｂ，２Ｃによって構成されている。
【００２３】
図３ないし図５は、第１ＬＥＤモジュール２Ａを示す図である。第１ＬＥＤモジュール２Ａは、ＬＥＤチップ２１、基板２２、互いに離間する金属製のリード２３，２４、ワイヤ２５、枠体２６、および樹脂パッケージ２７を備えている。第１ＬＥＤモジュール２Ａは、長さが１．６ｍｍ程度、幅が０．８ｍｍ程度、厚みが０．５５ｍｍ程度とされている。
【００２４】
第１ＬＥＤモジュール２Ａは、ＬＥＤチップ２１から発せられる光が支持基板１の実装面１ａの法線方向に光度分布が偏った指向特性を有するものである。図６に、第１ＬＥＤモジュール２Ａの指向特性を示す。この指向特性では、指向角０°において相対光度比が最大となっている。第１ＬＥＤモジュール２Ａは、図１および図２に示すように、たとえば支持基板１の中央に支持基板１の長手方向に沿って直線状に複数個配置されている。各第１ＬＥＤモジュール２Ａは、ＬＥＤチップ２１の主出射方向が支持基板１の実装面１ａと直交する方向と一致するように配置されている。
【００２５】
図４に示すように、ＬＥＤチップ２１は、リード２３，２４を介して基板２２の実装面２２ａに実装されている。ＬＥＤチップ２１は、たとえばｎ型半導体およびｐ型半導体と、これらに挟まれた活性層（いずれも図示せず）とが積層した構造とされている。ＬＥＤチップ２１は、たとえばＧａＮ系半導体からなる場合、青色光を発することができる。
【００２６】
ＬＥＤチップ２１は、上下面に２つの電極を有している。ＬＥＤチップ２１がリード２３の表面に搭載されることにより、ＬＥＤチップ２１の下面の電極は、リード２３と導通している。リード２３は、図４および図５に示すように、断面視略半円状の凹部２８の内表面を介して基板２２の裏面２２ｂに至る。その裏面２２ｂにおけるリード２３は、支持基板１の図示しない配線パターンに接合される実装端子２９とされている。一方、ＬＥＤチップ２１の上面の電極は、ワイヤ２５を介してリード２４に接続されている。これにより、ＬＥＤチップ２１の上面の電極は、リード２４と導通している。リード２４は、リード２３と同様に、凹部２８を介して基板２２の裏面２２ｂに至り、その裏面２２ｂにおけるリード２４は、支持基板１の配線パターンに接合される実装端子２９とされている。
【００２７】
枠体２６は、たとえば白色樹脂からなり、基板２２の実装面２２ａの外周部から上方に延びるように形成されている。枠体２６は、ＬＥＤチップ２１、ワイヤ２５、および樹脂パッケージ２７を囲む反射面２６ａを有している。反射面２６ａは、ＬＥＤチップ２１から発せられた光を反射することにより、上方に向かわせるためのものである。すなわち、この第１ＬＥＤモジュール２Ａは、いわゆるリフレクタ付きのＬＥＤモジュールとされており、このリフレクタにより、第１ＬＥＤモジュール２Ａは、ＬＥＤチップ２１からの光が支持基板１の実装面１ａの法線方向に向かう領域で光度が大とされる。
【００２８】
樹脂パッケージ２７は、ＬＥＤチップ２１およびワイヤ２５を保護するためのものである。樹脂パッケージ２７は、ＬＥＤチップ２１から発せられる光に対して透光性を有するたとえばシリコン樹脂を用いて形成されている。また、樹脂パッケージ２７に、青色光によって励起されることにより黄色光を発する蛍光材料を混入すれば、ＬＥＤモジュール２から白色光を出射させることが可能となる。なお、上記黄色光を発する蛍光材料に代えて、緑色光および赤色光を発する蛍光材料を混入するようにしてもよい。
【００２９】
図７および図８は、第２ＬＥＤモジュール２Ｂを示す図である。第２ＬＥＤモジュール２Ｂは、ＬＥＤチップ２１などを有する点で第１ＬＥＤモジュール２Ａと同様であり、図７および図８において、第１ＬＥＤモジュール２Ａと同一または類似の要素には、同一の符号を付す。第２ＬＥＤモジュール２Ｂは、長さが３．８ｍｍ程度、幅が１ｍｍ程度、厚みが０．６ｍｍ程度とされている。
【００３０】
第２ＬＥＤモジュール２Ｂは、ＬＥＤチップ２１から発せられる光が支持基板１の実装面１ａの面内方向外方に光度分布が偏った指向特性を有するものである。図１０に、第２ＬＥＤモジュール２Ｂの指向特性を示す。この指向特性では、指向角０°の方向が上記実装面１ａの面内方向外方と一致しており、その指向角０°の方向において相対光度比が最大となっている。第２ＬＥＤモジュール２Ｂは、図１および図２に示すように、支持基板１の実装面１ａ上において第３ＬＥＤモジュール２Ｃの隣りであって支持基板１の長手方向における端部寄りに配されている。すなわち、第２ＬＥＤモジュール２Ｂは、支持基板１の長手方向の両端部に沿って複数個配置されている。
【００３１】
各第２ＬＥＤモジュール２Ｂは、第１ＬＥＤモジュール２Ａと異なり、ＬＥＤチップ２１の主出射方向が支持基板１の実装面１ａの面内方向と一致するように、支持基板１上に実装されている。第２ＬＥＤモジュール２Ｂは、リード２３，２４が基板２２の実装面２２ａから側面２２ｃに至るが、側面２２ｃにおけるリード２３，２４がそれぞれ実装端子２９とされている。すなわち、図９に示すように、第２ＬＥＤモジュール２Ｂは、基板２２が横向けに倒されるように支持基板１に対して配され、側面２２ｃにおけるリード２３，２４がハンダ３０によって支持基板１の配線パターン（図略）と接合されることにより、支持基板１に実装される。このように、第２ＬＥＤモジュール２Ｂは、ＬＥＤチップ２１の主出射方向が側方を向くように支持基板１上に配置され、ＬＥＤチップ２１から発せられる光が支持基板１の面内方向外方に向かう領域で光度が大とされる。
【００３２】
なお、第２ＬＥＤモジュールとしては、図１１および図１２に示すように、枠体２６が設けられておらず、すなわちリフレクタが省略された第２ＬＥＤモジュール２Ｂ′が採用されてもよい。この第２ＬＥＤモジュール２Ｂ′は、樹脂パッケージ２７が側面視で略台形状に形成され、その外表面が外部に露出している。また、第２ＬＥＤモジュール２Ｂ′は、リード２３，２４が基板２２の実装面２２ａから側面２２ｃを介して裏面２２ｂまで至る。第２ＬＥＤモジュール２Ｂ′においても、側面２２ｃにおけるリード２３，２４がそれぞれ実装端子２９とされている。第２ＬＥＤモジュール２Ｂ′の構成によれば、第２ＬＥＤモジュール２Ｂに比べ、支持基板１の面内方向外方に、より広がる領域で光度が大とされる。なお、図１３に、第２ＬＥＤモジュール２Ｂ′の指向特性を示す。
【００３３】
図１４ないし図１６は、第３ＬＥＤモジュール２Ｃを示す図である。第３ＬＥＤモジュール２Ｃは、その構成が枠体２６を除き第１および第２ＬＥＤモジュール２Ａ，２Ｂとほぼ同様であり、図１４ないし図１６において、第１および第２ＬＥＤモジュール２Ａ，２Ｂと同一または類似の要素には、同一の符号を付す。第３ＬＥＤモジュール２Ｃは、長さが１．６ｍｍ程度、幅が０．８ｍｍ程度、厚みが０．３６ｍｍ程度とされている。
【００３４】
第３ＬＥＤモジュール２Ｃは、第１および第２ＬＥＤモジュール２Ａ，２Ｂと比較して光度分布がより均一である指向特性を有する。図１７に、第３ＬＥＤモジュール２Ｃの指向特性を示す。この指向特性では、指向角０°において相対光度比が最大となっていない。第３ＬＥＤモジュール２Ｃは、図１および図２に示すように、支持基板１の実装面１ａ上において第１ＬＥＤモジュール２Ａの両側の位置であって支持基板１の長手方向に沿って直線状に複数個配置されている。各第３ＬＥＤモジュール２Ｃは、ＬＥＤチップ２１の主出射方向が支持基板１の実装面１ａと直交する方向と一致するように配置されている。
【００３５】
第３ＬＥＤモジュール２Ｃは、基板２２上に枠体２６が設けられていない点で、第１および第２ＬＥＤモジュール２Ａ，２Ｂと異なる。すなわち、第３ＬＥＤモジュール２Ｃは、図１５に示すように、樹脂パッケージ２７が側面視で略台形状に形成され、その外表面が外部に露出している。そのため、第３ＬＥＤモジュール２Ｃでは、ＬＥＤチップ２１の主出射方向に光が出射されるとともに、斜め方向や側方にも光が出射される。すなわち、第３ＬＥＤモジュール２Ｃは、第１ＬＥＤモジュール２ＡほどＬＥＤチップ２１の主出射方向の領域における光度は大きくないが、第１ＬＥＤモジュール２Ａに比べ斜め方向や側方といった広角的な領域で光度が大とされる。
【００３６】
図１および図２に戻り、放熱部材３は、ＬＥＤモジュール２で生じた熱を支持基板１を介して放散させるためものであり、支持基板１の裏側に取り付けられている。放熱部材３は、たとえばＡｌからなり、支持基板１の長手方向に沿って延びる細長のブロック状とされている。
【００３７】
なお、放熱部材３としては、表面に絶縁処理を施すことにより、ＬＥＤモジュール２を直接的に実装し支持するものであってもよい。すなわち、支持基板１を省略してもよい。この場合、ＬＥＤモジュール２とたとえば絶縁機能を有する絶縁シート（図示せず）との間には、支持基板１の実装面１ａに形成された配線パターンと同様の配線パターンが形成される。この構成によれば、放熱部材３とは別に、ＬＥＤモジュール２を実装するための支持基板１を用意する必要がないので、部品コストの削減化を図ることができる。
【００３８】
ケース４は、支持基板１および放熱部材３などを収容するためのものであり、図２に示すように、円形断面を有する直管状の円筒形とされている。ケース４は、たとえばポリカーボネートなどの合成樹脂からなり、押出成形によって一体形成される。ＬＥＤモジュール２からの光の一部がケース４の内面に達すると、ケース４は、その光を拡散させつつ透過させる。
【００３９】
ケース４の内面には、内側に向いて突出する一対の突出片４１が一体形成されている。図２に表された状態において、放熱部材３は、その一部が突出片４１と当接することにより、ケース４に対する中心軸Ｏ１に垂直な方向（図中上方向）の移動が規制されている。支持基板１および放熱部材３などがケース４内へ収容される場合、突出片４１の内側において放熱部材３がスライドされながらケース４内に挿入される。
【００４０】
一対の口金５は、一般用蛍光灯照明器具のソケット（図示せず）に装着することにより、商用電源から交流電力を供給するためのものである。口金５は、図１に示すように、２本の端子５１を備えている。端子５１は、一般用蛍光灯照明器具の上記ソケットの差込口に嵌合される部分である。
【００４１】
次に、ＬＥＤランプＡの作用について、図１８を参照して説明する。なお、図１８は、たとえば屋内の天井Ｐに設置された一般用蛍光灯照明器具に取り付られたＬＥＤランプＡの断面の状態を示しており、図１８では天地が逆になっている。
【００４２】
本実施形態によれば、ＬＥＤランプＡが点灯されると、第１ないし第３ＬＥＤモジュール２Ａ，２Ｂ，２Ｃの各ＬＥＤチップ２１からそれぞれ光が出射される。すなわち、第１ＬＥＤモジュール２Ａは、点線ＳＡに示すように、ＬＥＤチップ２１から発せられる光が支持基板１の実装面１ａの法線方向に光度分布が偏った指向特性を有しているので、第１ＬＥＤモジュール２Ａから光が出射されると、主としてＬＥＤチップ２１の主出射方向を向く方向の領域で光度が大となる。なお、図１８における点線ＳＡは、あくまでも第１ＬＥＤモジュール２Ａの光の指向特性を示すものであり、ＬＥＤランプＡにおける光の到達範囲を示すものではない。後述する点線ＳＢ，ＳＣについても同様である。
【００４３】
第２ＬＥＤモジュール２Ｂは、点線ＳＢに示すように、ＬＥＤチップ２１から発せられる光が支持基板１の実装面１ａの面内方向外方に光度分布が偏った指向特性を有しているので、第２ＬＥＤモジュール２Ｂから光が出射されると、主としてＬＥＤチップ２１の主出射方向、すなわちＬＥＤランプＡの側方方向の領域で光度が大となる。
【００４４】
また、第３ＬＥＤモジュール２Ｃは、点線ＳＣに示すように、ＬＥＤチップ２１から発せられる光が支持基板１の実装面１ａの法線方向に、第１および第２ＬＥＤモジュール２Ａ，２Ｂに比べ光度分布が均一な指向特性を有しているので、第３ＬＥＤモジュール２Ｃから光が出射されると、ＬＥＤチップ２１の上方において放射状に広がる方向に、すなわち、ＬＥＤランプＡの図１８における上方および斜め方向の領域で光度が大となる。
【００４５】
このように、本実施形態によれば、上記したように光の指向特性が互いに異なる第１ないし第３ＬＥＤモジュール２Ａ，２Ｂ，２Ｃが支持基板１上に配されているので、各ＬＥＤチップ２１から出射された光は、天井Ｐ側を除きＬＥＤランプＡの周囲においてほぼ一様に分布され、ＬＥＤランプＡの周囲全体において十分な明るさを得ることができる。
【００４６】
本発明に係るＬＥＤランプは、上述した実施形態に限定されるものではない。本発明に係るＬＥＤランプの各部の具体的な構成は、種々に設計変更自在である。たとえば、支持基板１、ＬＥＤモジュール２、放熱部材３、ケース４などの形状は、上記した形状に限るものではない。また、支持基板１に実装される各ＬＥＤモジュール２の実装形態（たとえば各ＬＥＤモジュール２の配列、数、および配置位置など）も上記した実施形態に限るものではない。
【００４７】
また、上記実施形態では、ケース４の内側から突出する一対の突出片４１によって放熱部材３の移動が規制されるようにしていたが（図２参照）、この構成に代えて、図１９に示すように、一対の突出片４１′によって放熱部材３および支持基板１の移動が規制されるように構成してもよい。
【００４８】
また、上記実施形態では、ＬＥＤモジュールの構成を直管型蛍光灯の代替としてのＬＥＤランプに適用したが、これに限らず、たとえば環型蛍光灯の代替としてのＬＥＤランプに適用してもよいし、屋内の天井などに埋め込まれて用いられるダウンライトなどに適用してもよい。
【００４９】
また、第１ないし第３ＬＥＤモジュール２Ａ，２Ｂ，２Ｃは、図２０ないし図５８に示すＬＥＤモジュールがそれぞれ採用されてもよい。これらの図では、各ＬＥＤモジュールの概略外形と指向特性とをそれぞれ示している。ＬＥＤモジュールの概略外形を示す図では、上から上面図、側面図および下面図であり、上面図の右の図は、右側面図である。図２０ないし図３２は、第１ＬＥＤモジュール２Ａとして採用可能なリフレクタ付きのＬＥＤモジュールを示している。第１ＬＥＤモジュール２Ａにおける指向特性は、指向角０°において相対光度比が最大となっている。図３３ないし図４２は、第２ＬＥＤモジュール２Ｂとして採用可能な側面発光用のＬＥＤモジュールを示している。第２ＬＥＤモジュール２Ｂにおける指向特性は、指向角０°の方向が支持基板１の実装面１ａの面内方向外方と一致している。さらに、図４３ないし図５８は、第３ＬＥＤモジュール２Ｃとして採用可能な光度分布が均一なＬＥＤモジュールを示している。第３ＬＥＤモジュール２Ｃにおける指向特性は、指向角０°において相対光度比が最大となっていない。なお、図２４および図４９に示すＬＥＤモジュールは、２色発光タイプを示し、図２９、図３９および図５７に示すＬＥＤモジュールは、３色発光タイプを示している。
【００５０】
さらに、ＬＥＤモジュールに代えて、図５９ないし図６２に示すように、弾丸型のＬＥＤが採用されてもよい。図５９に示す弾丸型ＬＥＤは、支持基板１に対して縦方向あるいは横方向に実装が可能であり、すなわち支持基板１の実装面の法線方向に、あるいは支持基板１の実装面の面内方向外方に一致する方向に光度分布が偏った指向特性を有することができる。また、図６１に示す弾丸型ＬＥＤは、図５９に示す弾丸型ＬＥＤに比べ構成がより簡素化され、支持基板１の実装面の法線方向に光度分布が偏った指向特性を有する。なお、図５９ないし図６２に示す弾丸型ＬＥＤ以外であって、２本のリードピンを有する従来型のＬＥＤにおいて、各リードピンを支持基板１に貫通させる、あるいは各リードピンを折り曲げるなどして、支持基板１の実装面の法線方向に、あるいは支持基板１の実装面の面内方向外方に一致する方向に光度分布が偏った指向特性を有するようにすることもできる。
【符号の説明】
【００５１】
Ａ            ＬＥＤランプ
１            支持基板
１ａ          実装面
２            ＬＥＤモジュール
２Ａ          第１ＬＥＤモジュール
２Ｂ、２Ｂ′  第２ＬＥＤモジュール
２Ｃ          第３ＬＥＤモジュール
２１          ＬＥＤチップ
２２          基板
２２ａ        実装面
２２ｂ        裏面
２２ｃ        側面
２３、２４    リード
２５          ワイヤ
２６          枠体
２７          樹脂パッケージ
２８          凹部
２９          実装端子
３            放熱部材
４            ケース
４１          突起片
５            口金
【図１】
2010198919.tif 000003
【図２】
2010198919.tif 000004
【図３】
2010198919.tif 000005
【図４】
2010198919.tif 000006
【図５】
2010198919.tif 000007
【図６】
2010198919.tif 000008
【図７】
2010198919.tif 000009
【図８】
2010198919.tif 000010
【図９】
2010198919.tif 000011
【図１０】
2010198919.tif 000012
【図１１】
2010198919.tif 000013
【図１２】
2010198919.tif 000014
【図１３】
2010198919.tif 000015
【図１４】
2010198919.tif 000016
【図１５】
2010198919.tif 000017
【図１６】
2010198919.tif 000018
【図１７】
2010198919.tif 000019
【図１８】
2010198919.tif 000020
【図１９】
2010198919.tif 000021
【図２１】
2010198919.tif 000022
【図２３】
2010198919.tif 000023
【図２５】
2010198919.tif 000024
【図２６】
2010198919.tif 000025
【図２７】
2010198919.tif 000026
【図２８】
2010198919.tif 000027
【図２９】
2010198919.tif 000028
【図３０】
2010198919.tif 000029
【図３１】
2010198919.tif 000030
【図３２】
2010198919.tif 000031
【図３４】
2010198919.tif 000032
【図３６】
2010198919.tif 000033
【図３８】
2010198919.tif 000034
【図４０】
2010198919.tif 000035
【図４２】
2010198919.tif 000036
【図４４】
2010198919.tif 000037
【図４６】
2010198919.tif 000038
【図４８】
2010198919.tif 000039
【図５０】
2010198919.tif 000040
【図５２】
2010198919.tif 000041
【図５４】
2010198919.tif 000042
【図５６】
2010198919.tif 000043
【図５８】
2010198919.tif 000044
【図５９】
2010198919.tif 000045
【図６０】
2010198919.tif 000046
【図６１】
2010198919.tif 000047
【図６２】
2010198919.tif 000048
【図６３】
2010198919.tif 000049
【図２０】
2010198919.tif 000050
【図２２】
2010198919.tif 000051
【図２４】
2010198919.tif 000052
【図３３】
2010198919.tif 000053
【図３５】
2010198919.tif 000054
【図３７】
2010198919.tif 000055
【図３９】
2010198919.tif 000056
【図４１】
2010198919.tif 000057
【図４３】
2010198919.tif 000058
【図４５】
2010198919.tif 000059
【図４７】
2010198919.tif 000060
【図４９】
2010198919.tif 000061
【図５１】
2010198919.tif 000062
【図５３】
2010198919.tif 000063
【図５５】
2010198919.tif 000064
【図５７】
2010198919.tif 000065